【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
固有導電性ポリマーと金属との化合物。
【請求項２】
固有導電性ポリマーが、ポリアセチレン、ポリピロール、ポリチオフェン、ポリフェニレンビニレン又はポリアニリンである請求項１に記載の化合物。
【請求項３】
金属が、鉄、銅、亜鉛、マグネシウム、カドミウム又は錫である請求項１又は２に記載の化合物。
【請求項４】
下記の方法により得られうる請求項１〜３の何れか一つに記載の化合物：
（ａ）固有導電性ポリマーの分散体を選択された元素の形の金属と接触させ、その際
（ｂ）分散媒が、金属と分散体との界面において物質交換を確保するために撹拌され；及び
（ｃ）該分散体が、金属−ポリマー化合物が生成するまで該金属と接触する。
【請求項５】
下記の一般式Ｉに示される請求項１〜４の何れか一つに記載の化合物：
[(ＤＵ)a・x(Ｍｅa+)x(ＤＵoxＨ+)y](ａ・ｘ＋ｙ)Ａ-      （Ｉ）
但し上記式中、
ＤＵ＝ポリマーの二量体単位；
ＤＵox＝二量体単位の酸化形態；
Ｍｅa+＝イオン価ａの金属イオン；
ａ＝金属イオンのイオン価；
ｘ＝１から１０，０００までの整数；
ｙ＝０から１０，０００までの整数；及び
Ａ-＝アニオン。
【請求項６】
下記の一般式II又はIIIで示される請求項１〜５の何れか一つに記載の化合物。
2001511581.tif 000001
2001511581.tif 000002
【請求項７】
水性もしくは有機分散剤中の分散体の形又は塗料もしくはポリマーブレンドに含有された形で存在する請求項１〜６の何れか一つに記載の化合物。
【請求項８】
ポリアニリンと、銅、鉄又は亜鉛との化合物であり、Ｎ−メチルピロリドン及びイソプロパノールの混合物中の分散体として、ＵＶ−ＶＩＳ−ＮＩＲ領域における分光学的分析において、
銅−ポリアニリン化合物：２８５±５ｎｍ、
鉄−ポリアニリン化合物：２８０±５ｎｍ、
亜鉛−ポリアニリン化合物：３３２±５ｎｍ
の波長帯において最大吸収を示す請求項１〜７の何れか一つに記載の化合物。
【請求項９】
（ａ）固有導電性ポリマーの分散体を選択された元素の形の金属と接触させ、
その際
（ｂ）金属と該分散体との界面において物質交換を確実にするために、分散媒を運動させ；及び
（ｃ）金属−ポリマー化合物が生成されるまで該分散体を金属と接触させることを特徴とする請求項１〜８の何れか一つに記載の化合物の製造方法。
【請求項１０】
前記（ｂ）において、分散媒を撹拌するか又は金属に接するように流動させる請求項９に記載の製造方法。
【請求項１１】
前記（ｃ）において、該分散体を０．１分から１０，０００分までの間金属と接触させる請求項９又１０に記載の製造方法。
【請求項１２】
固有導電性ポリマーの還元体の分散体を選択された金属イオンと接触させることを特徴とする請求項１〜８の何れか一つに記載の化合物の製造方法。
【請求項１３】
請求項１〜８の何れか一項に記載の化合物を含むことを特徴とする金属化用前処理剤。
【請求項１４】
請求項１〜８の何れか一項に記載の化合物を含むことを特徴とする電気プリント回路板の金属化用前処理剤。
【請求項１５】
金属化が錫による金属化であることを特徴とする請求項１３又は１４に記載の金属化用前処理剤。
【請求項１６】
請求項１〜８の何れか一項に記載の化合物を含むことを特徴とする金属製品の防食保護用組成物。
【請求項１７】
塗料であることを特徴とする請求項１６に記載の金属製品の防食保護用組成物。
【手続補正２】
【補正対象書類名】明細書
【補正対象項目名】０００７
【補正方法】変更
【補正の内容】
【０００７】
この目的は、請求項１〜８による化合物によって達成される。本発明は、また請求項第９〜１２による方法及び請求項第１３による用途にも向けられる。
即ち、本発明の一視点により、固有導電性ポリマーと金属との化合物が提供される（形態１・基本構成）。
（形態２）  上記形態１の化合物において、固有導電性ポリマーが、ポリアセチレン、ポリピロール、ポリチオフェン、ポリフェニレンビニレン又はポリアニリンであることが好ましい。
（形態３）  上記形態１又は２の化合物において、金属が、鉄、銅、亜鉛、マグネシウム、カドミウム又は錫であることが好ましい。
（形態４）  上記形態１〜３の化合物は、下記の方法により得られうる：
（ａ）固有導電性ポリマーの分散体を選択された元素の形の金属と接触させ、その際
（ｂ）分散媒が、金属と分散体との界面において物質交換を確保するために撹拌され；及び
（ｃ）該分散体が、金属−ポリマー化合物が生成するまで該金属と接触する。
（形態５）  上記形態１〜４の化合物は、下記の一般式Ｉに示されることが好ましい：
[(ＤＵ)a・x(Ｍｅa+)x(ＤＵoxＨ+)y](ａ・ｘ＋ｙ)Ａ-      （Ｉ）
但し上記式中、
ＤＵ＝ポリマーの二量体単位；
ＤＵox＝二量体単位の酸化形態；
Ｍｅa+＝イオン価ａの金属イオン；
ａ＝金属イオンのイオン価；
ｘ＝１から１０，０００までの整数；
ｙ＝０から１０，０００までの整数；及び
Ａ-＝アニオン。
（形態６）  上記形態１〜５の化合物は、下記の一般式II又はIIIで示されることが好ましい：
2001511581.tif 000003
2001511581.tif 000004
（形態７）  上記形態１〜６の化合物において、水性もしくは有機分散剤中の分散体の形又は塗料もしくはポリマーブレンドに含有された形で存在することが好ましい。
（形態８）  上記形態１〜７の化合物において、ポリアニリンと、銅、鉄又は亜鉛との化合物であり、Ｎ−メチルピロリドン及びイソプロパノールの混合物中の分散体として、ＵＶ−ＶＩＳ−ＮＩＲ領域における分光学的分析において、
銅−ポリアニリン化合物：２８５±５ｎｍ、
鉄−ポリアニリン化合物：２８０±５ｎｍ、
亜鉛−ポリアニリン化合物：３３２±５ｎｍ
の波長帯において最大吸収を示すことが好ましい。
（形態９）  上記形態１〜８の化合物の製造方法において、
（ａ）固有導電性ポリマーの分散体を選択された元素の形の金属と接触させ、
その際
（ｂ）金属と該分散体との界面において物質交換を確実にするために、分散媒を運動させ；及び
（ｃ）金属−ポリマー化合物が生成されるまで該分散体を金属と接触させることが好ましい。
（形態１０）  上記形態９の製造方法において、前記（ｂ）において、分散媒を撹拌するか又は金属に接するように流動させることが好ましい。
（形態１１）  上記形態９又は１０の製造方法において、前記（ｃ）において、該分散体を０．１分から１０，０００分までの間金属と接触させることが好ましい。
（形態１２）  上記形態１〜８の化合物の製造方法において、固有導電性ポリマーの還元体の分散体を選択された金属イオンと接触させることが好ましい。
（形態１３）  上記形態１〜８の化合物は、基板の金属被覆、電気プリント回路板の製造、又は金属製品の防食保護に使用することができる。
（形態１４）  金属化用前処理剤は、上記形態１〜８の化合物を含むことが好ましい。
（形態１５）  電気プリント回路板の金属化用前処理剤は、上記形態１〜８の化合物を含むことが好ましい。
（形態１６）  上記形態１４又は１５の金属化用前処理剤において、金属化が錫による金属化であることが好ましい。
（形態１７）  金属製品の防食保護用組成物は、上記形態１〜８の化合物を含むことが好ましい。
（形態１８）  上記形態１７の金属製品の防食保護用組成物は、塗料であることが好ましい。